(57)【要約】【課題】他人による離れた場所の使用状態を、移動することになく確認できるインターホンシステムを提供する。【解決手段】人体検知センサ１３をトイレや浴室等に配設する。人体検知センサ１３が周辺の人体を検知すると、その旨の信号を親機２に送信し、通知を受けた親機２は、トイレ等が使用中である旨の表示をモニタ装置２７から出力する。人体検知センサ１３がトイレ内の人体の不存在を検知すると、その旨の信号を親機２に送信し、通知を受けた親機２は、モニタ装置２７からトイレ等が使用中である旨の表示を消す。【選択図】図１
2011155376.tif 000002
【特許請求の範囲】
【請求項１】
特定の場所に配設された人体検知センサと、
前記人体検知センサと無線又は有線で接続され、該人体検知センサから送信された信号を受信する受信部と、前記受信部によって受信された信号に基づいて前記人体検知センサが配設された場所の使用状態を知得する制御部と、前記制御部によって知得された使用状態を表示する表示部を有する主通信機を備えたことを特徴とするインターホンシステム。
【請求項２】
前記主通信機と無線又は有線で接続されて、該主通信機から送信された前記人体検知センサが配設された場所の使用状態を示す信号を受信する受信部と、前記受信部によって受信された信号に基づいて前記人体検知センサが配設された場所の使用状態を知得する制御部と、前記制御部によって知得された使用状態を表示する表示部を有する副通信機を備えたことを特徴とする請求項１に記載のインターホンシステム。
【請求項３】
前記人体検知センサが配設された場所の使用状態を報知音を鳴動させることによって通知する通知部をさらに備え、
前記制御部は、人体検知センサが配設された場所の使用が解除されたとき、前記通知部に報知音を鳴動させることを特徴とする請求項１又は請求項２に記載のインターホンシステム。
【請求項４】
前記主通信機及び／又は副通信機は、該主通信機及び副通信機が設置されている部屋を照明する照明装置と無線又は有線で接続され、
前記制御部は、表示部に使用状態を表示させる際に、各部屋に設置されている照明装置の点灯状態を制御することを特徴とする請求項１乃至請求項３のいずれか一項に記載のインターホンシステム。
【請求項５】
前記主通信機及び／又は副通信機に接続される増設用の通知部をさらに備えたことを特徴とする請求項３に記載のインターホンシステム。
【発明の詳細な説明】
【技術分野】
【０００１】
本発明は、住宅内の通信システムとして配設されるインターホンシステムに関するものである。
【背景技術】
【０００２】
住宅内の各部屋間で相互に通信を行うシステムとして、インターホンシステムが広く普及している。従来のインターホンシステムは、玄関を訪れた来客や各部屋に居るユーザによって操作され、撮像した映像を表示したり収録した音声を出力することにより相互に通話を行うことを主な機能としていた。
【０００３】
一方、近年、住居の多様化や大型化に伴いトイレや浴室等の使用状態を離れた場所から把握できるようなシステムが望まれている。
【０００４】
特許文献１には、浴室の給湯完了を台所に設置されたリモートコントローラで報知する技術が示されている。この技術においては、給湯システムにインターホン機能を追加することにより浴室と台所との間で通話が可能とされている。
【先行技術文献】
【特許文献】
【０００５】
【特許文献１】特開２００５−３４７８５４号公報
【発明の概要】
【発明が解決しようとする課題】
【０００６】
しかしながら、上記特許文献１に示された技術は、給湯システムをベースとしているため、浴室における給湯以外の状態、例えば浴室やトイレの使用状態を監視して離れた部屋に居るユーザに報知することができなかった。
【０００７】
本発明は、上記課題を解決するためになされたものであり、他人による離れた場所の使用状態を、移動することなく確認できるインターホンシステムを提供することを目的とする。
【課題を解決するための手段】
【０００８】
上記目的を達成するために請求項１の発明は、特定の場所に配設された人体検知センサと、前記人体検知センサと無線又は有線で接続され、該人体検知センサから送信された信号を受信する受信部と、前記受信部によって受信された信号に基づいて前記人体検知センサが配設された場所の使用状態を知得する制御部と、前記制御部によって知得された使用状態を表示する表示部を有する主通信機を備えたことを特徴とするインターホンシステムである。
【０００９】
請求項２の発明は、請求項１に記載のインターホンシステムにおいて、前記主通信機と無線又は有線で接続されて、該主通信機から送信された前記人体検知センサが配設された場所の使用状態を示す信号を受信する受信部と、前記受信部によって受信された信号に基づいて前記人体検知センサが配設された場所の使用状態を知得する制御部と、前記制御部によって知得された使用状態を表示する表示部を有する副通信機を備えたことを特徴とする。
【００１０】
請求項３の発明は、請求項１又は請求項２に記載のインターホンシステムにおいて、前記人体検知センサが配設された場所の使用状態を報知音を鳴動させることによって通知する通知部をさらに備え、前記制御部は、人体検知センサが配設された場所の使用が解除されたとき、前記通知部に報知音を鳴動させることを特徴とする。
【００１１】
請求項４の発明は、請求項１乃至請求項３のいずれか一項に記載のインターホンシステムにおいて、前記主通信機及び／又は副通信機は、該主通信機及び副通信機が設置されている部屋を照明する照明装置と無線又は有線で接続され、前記制御部は、表示部に使用状態を表示させる際に、各部屋に設置されている照明装置の点灯状態を制御することを特徴とする。
【００１２】
請求項５の発明は、請求項３に記載のインターホンシステムにおいて、前記主通信機及び／又は副通信機に接続される増設用の通知部をさらに備えたことを特徴とする。
【発明の効果】
【００１３】
請求項１の発明によれば、人体検知センサが配設された場所の使用状態を制御部によって知得し、表示部によって表示するので、ユーザは、主通信装置が配設されている場所に居ながらにして、離れた場所の他人による使用状態を確認できるようになる。
【００１４】
請求項２の発明によれば、人体検知センサが配設された場所の使用状態を副通信機によって確認できるので、ユーザは主通信機から離れて待機することが可能になり、インターホンシステムの利便性が高められる。なお、副通信機は、主通信機とは別の部屋に設置されていてもよいし、持ち運び（携帯）可能であってもよい。例えば、ユーザが庭やベランダに出る際にも副通信機を携行することにより、人体検知センサが配設された場所の使用状態を知得することができ、インターホンシステムの利便性が高められる。
【００１５】
請求項３の発明によれば、報知音の鳴動により、ユーザは、人体検知センサが配設された場所の使用が解除されたことを知ることができる。これにより、表示部の表示を逐一確認する必要がなくなり、インターホンシステムの利便性が高められる。
【００１６】
請求項４の発明によれば、表示部の表示と共に照明装置の点灯状態によって、人体検知センサが配設された場所の使用状態を通知できる。例えば、照明装置を点滅させたり、一時的に照度を調整することにより、ユーザが表示部を見逃した場合であっても、上記場所の使用状態をより確実に通知できるようになる。
【００１７】
請求項５の発明によれば、増設用の通知部を用いて主通信機又は副通信機から離れた場所にいるユーザに人体検知センサが配設された場所の使用状態を通知できる。これにより、ユーザは主通信機等から離れて待機することが可能になり、インターホンシステムの利便性が高められる。
【図面の簡単な説明】
【００１８】
【図１】本発明の一実施形態によるインターホンシステムの構成を示す図。
【図２】同システムに適用される親機の構成を示すブロック図。
【図３】同システムに適用される副親機の構成を示すブロック図。
【図４】同システムに適用される照明制御装置の構成を示すブロック図。
【図５】同システムの動作の一例としてトイレの使用状態を通知する動作を時系列で示すタイムチャート。
【図６】同システムの別の動作として浴室の使用状態を通知する動作を時系列で示すタイムチャート。
【図７】親機に増設スピーカ装置を接続した場合のインターホンシステムの動作を時系列で示すタイムチャート。
【図８】インターホンシステムの別な動作として浴室の使用状態を照明装置を併用しつつ通知する動作を時系列で示すタイムチャート。
【図９】親機に副親機を接続した場合のインターホンシステムの動作を時系列で示すタイムチャート。
【発明を実施するための形態】
【００１９】
本発明の一実施形態によるインターホンシステムについて図面を参照して説明する。図１はインターホンシステムの概略構成を示している。インターホンシステム１は、親機（主通信機）２と、副親機（副通信機）３、４と、子機５と、ライト付センサーカメラ６等を備えている。
【００２０】
親機２は、１階のリビングルーム等に配設され、副親機３、４及び子機５等と接続されている。本実施形態においては、それぞれの接続は有線によってなされているが、無線で接続されていてもよい。また、親機２は、窓開閉センサ１２、人体検知センサ１３、非常用発信器１４及び照明制御装置１５、１６等の住宅用設備機器とも無線によって接続されている。
【００２１】
副親機３、４は、親機２とは異なる部屋に配設されている。例えば、副親機３、４は、寝室や子供部屋等に配設されている。親機２、副親機３、４、子機５は、それぞれマイク装置２５、３３とスピーカ装置２６、３４等を備えており（図２、３参照、子機については図示せず）、ユーザは親機２、副親機３、４、子機５を介して相互に通話可能とされている。子機５及びライト付センサーカメラ６は、玄関等に配設され、来客を検知し、親機２に通知する。ライト付センサーカメラ６によって撮像された映像は、親機２及び副親機３、４に送信される。
【００２２】
窓開閉センサ１２は、主要な窓の開閉を検知して、親機２に通知する。人体検知センサ１３は、例えばトイレや浴室の他廊下等の特定の場所に配設され、赤外線等を検知することにより、人体の存在を検知し、親機２に通知する。非常用発信器１４は、トイレや浴室に配設され、非常事態が発生したことを親機２に通知する。照明制御装置１５、１６は、各部屋に配設され、親機２又は副親機３、４から発信された制御信号に基づいて各部屋の照明装置１７、１８を制御する。親機２から副親機３、４を介して照明制御装置１６に制御信号を発信するように構成してもよい。
【００２３】
図２は、親機２の構成を示している。親機２は、副親機３、４、子機５が接続され、相互に通信を行う送受信部２１と、窓開閉センサ１２、人体検知センサ１３、非常用発信器１４と接続され、各センサ等から無線送信された信号を受信する無線受信部２３と、照明制御装置１５と無線接続され、制御信号を送信する無線送信部２４と、ユーザの音声を収録するマイク装置２５と、音声や各種の報知音を出力するスピーカ装置（通知部）２６と、映像を出力するモニタ装置２７と、ユーザによって操作される操作部２８と、各部の制御を司る制御部２９等によって構成されている。
【００２４】
図３は、副親機３の構成を示している。副親機４も副親機３と同等の構成であるため、説明は省略する。副親機３は、親機２、副親機４が接続され、相互に通信を行う送受信部３１と、照明制御装置１６と無線接続され、制御信号を送信する無線送信部３２と、ユーザの音声を収録するマイク装置３３と、音声や各種の報知音を出力するスピーカ装置３４と、映像を出力するモニタ装置３５と、ユーザによって操作される操作部３６と、各部の制御を司る制御部３７等によって構成されている。
【００２５】
図４は、照明制御装置１５の構成を示している。照明制御装置１６も同等の構成であるため、説明は省略する。照明制御装置１５は、親機２等から無線送信された制御信号を受信する無線受信部１５１と、ユーザによって操作される操作部１５２と、照明装置１７の制御を司る制御部１５３等によって構成されている。
【００２６】
図５は、インターホンシステム１の動作の一例を示している。図中上から下に向かって時間が進行する。子機５が来客によって操作されると、子機５から親機２に対してその旨の信号が送信される。来客の通知を受けた親機２の制御部２９は、その旨の報知音をスピーカ装置２６から鳴動させて来客を報知する。その後、ユーザの1人がトイレに入ると、トイレに配設されている人体検知センサ１３が人体の存在を検知して、その旨の信号を親機２に送信してトイレが使用中であることを通知する。使用中の通知を受けた親機２の制御部２９は、トイレが使用中である旨の表示をモニタ装置２７から出力する（表示オン）。これにより、親機２が配設されている部屋にいるユーザは、モニタ装置２７を確認することにより、トイレが使用中であることを知ることができる。
【００２７】
その後、トイレから人が出て行くと、人体検知センサ１３がトイレ内の人体の不存在を検知して、その旨の信号を親機２に送信してトイレの使用が終了したことを通知する。使用が終了した旨の通知を受けた親機２は、モニタ装置２７からトイレが使用中である旨の表示を消す（表示オフ）。これにより、親機２が配設されている部屋にいるユーザは、モニタ装置２７を確認することにより、トイレの使用が終了したことを知ることができる。
【００２８】
図６は、インターホンシステム１の別な動作として浴室の使用状態を通知する動作を示している。浴室は、トイレと比較すると使用時間が長くなる傾向にある。そこで、本実施形態は、浴室の使用状態が解除されると、報知音を鳴動させて通知する機能を有している。この通知機能は、ユーザが親機２の操作部２８又は、モニタ装置２７のタッチパネルを操作して浴室の使用解除通知の登録を行うことにより、制御部２９にその設定が記憶され有効になる。
【００２９】
ユーザの1人が浴室に入ると、浴室に配設されている人体検知センサ１３が人体の存在を検知して、その旨の信号を親機２に送信して浴室が使用中であることを通知する。使用中の通知を受けた親機２の制御部２９は、浴室が使用中である旨の表示をモニタ装置２７から出力する（表示オン）。これにより、親機２が配設されている部屋にいるユーザは、モニタ装置２７を確認することにより、浴室が使用中であることを知ることができる。
【００３０】
親機２が配設されている部屋にいるユーザは、浴室が他のユーザによって使用中であることを知り、親機２の操作部２８又は、モニタ装置２７のタッチパネルを操作して浴室の使用解除通知の登録を行う。その後、浴室から人が出て行くと、人体検知センサ１３が浴室内の人体の不存在を検知して、その旨の信号を親機２に送信して浴室の使用が終了したことを通知する。使用が終了した旨の通知を受けた親機２の制御部２９は、モニタ装置２７から浴室が使用中である旨の表示を消し（表示オフ）、さらに、スピーカ装置２６から報知音を鳴動させて浴室の使用が解除された通知ことを通知する。これにより、親機２が配設されている部屋にいるユーザは、モニタ装置２７を頻繁に確認することなく、スピーカ装置２６から出力される報知音に注意を払うことによって浴室の使用が終了したことを知ることができる。
【００３１】
図７は、親機２に増設スピーカ装置２Ｃを接続した場合のインターホンシステム１の動作を示している。増設スピーカ装置２Ｃは、親機２が配設されていない部屋や廊下等に配設することができる。この動作においては、使用が終了した旨の通知を受けた親機２の制御部２９は、モニタ装置２７から浴室が使用中である旨の表示を消し（表示オフ）、さらに、スピーカ装置２６及び増設スピーカ装置２Ｃから報知音を鳴動させて浴室の使用が解除されたことを通知する。これにより、廊下等にいるユーザにも浴室の使用が終了した旨通知することができる。
【００３２】
図８は、インターホンシステム１の別な動作として浴室の使用状態を、照明装置１７を併用しつつ通知する動作を示している。使用が終了した旨の通知を受けた親機２の制御部２９が、モニタ装置２７から浴室が使用中である旨の表示を消し（表示オフ）、さらに、スピーカ装置２６から報知音を鳴動させて浴室の使用が解除されたことを通知するまでは、図６に示した動作と同様である。親機２の制御部２９は、スピーカ装置２６から報知音を鳴動させた後、照明制御装置１５に照明装置１７を点灯させる旨の制御信号を送信して通知する。照明制御装置１５は、親機２から送信された制御信号に応じて、照明装置１７を点灯させる。これにより、音と光を併用して機器の動作状態をユーザに通知することが可能となる。照明装置１７の状態制御は、点灯に限られることなく、消灯や点滅、照度の変更等を用いてもよい。
【００３３】
図９は、親機２に副親機３を接続した場合のインターホンシステム１の動作を示している。この場合は、副親機３が設置されている部屋にいるユーザに浴室の使用状態を通知する。親機２の制御部２９が、浴室が使用中である旨の表示をモニタ装置２７から出力するまでは、図６に示した動作と同様である。親機２の制御部２９は、副親機３に浴室が使用中である旨の信号を送信して通知を行い、副親機３の制御部３７は、その旨の表示をモニタ装置３５から出力する（表示オン）。
【００３４】
副親機３が配設されている部屋にいるユーザは、浴室が他のユーザによって使用中であることを知り、副親機３の操作部３６又は、モニタ装置３５のタッチパネルを操作して浴室の使用解除通知の登録を行う。その後、浴室から人が出て行くと、人体検知センサ１３が浴室内の人体の不存在を検知して、その旨の信号を親機２に送信して浴室の使用が終了したことを通知する。使用が終了した旨の通知を受けた親機２の制御部２９は、モニタ装置２７から浴室が使用中である旨の表示を消し（表示オフ）、さらに、副親機３に浴室の使用が解除された旨の信号を送信して通知を行う。副親機３の制御部３７は、モニタ装置３５から浴室が使用中である旨の表示を消し（表示オフ）、さらに、スピーカ装置３４から報知音を鳴動させて浴室の使用が解除されたことを通知する。これにより、副親機３が配設されている部屋にいるユーザは、浴室の使用が終了したことを知ることができる。
【００３５】
以上のように、本実施形態のインターホンシステム１によれば、人体検知センサ１３が配設された場所の使用状態を制御部２９によって知得し、モニタ装置２７によって表示するので、ユーザは、親機２が配設されている場所に居ながらにして、トイレや浴室等の離れた場所の他人による使用状態を確認できるようになる。
【００３６】
また、人体検知センサ１３が配設された場所の使用状態を副親機３、４によって確認できるので、ユーザは親機２から離れて待機することが可能になり、インターホンシステムの利便性が高められる。なお、副親機３、４は、親機２とは別の部屋に設置されていてもよいし、持ち運び（携帯）可能であってもよい。例えば、ユーザが庭やベランダに出る際にも副親機３、４を携行することにより、人体検知センサ１３が配設された場所の使用状態を知得することができ、インターホンシステムの利便性が高められる。
【００３７】
また、報知音の鳴動により、ユーザは、人体検知センサ１３が配設された場所の使用が解除されたことを知ることができる。これにより、モニタ装置２７の表示を逐一確認する必要がなくなり、インターホンシステムの利便性が高められる。また、モニタ装置２７の表示と共に照明装置１７の点灯状態によって、人体検知センサ１３が配設された場所の使用状態を通知できる。例えば、照明装置１７を点滅させたり、一時的に照度を調整することにより、ユーザがモニタ装置２７を見逃した場合であっても、上記場所の使用状態をより確実に通知できるようになる。
【００３８】
また、増設スピーカ装置２Ｃを用いて親機２又は副親機３、４から離れた場所にいるユーザに人体検知センサ１３が配設された場所の使用状態を通知できる。これにより、ユーザは親機２等から離れて待機することが可能になり、インターホンシステムの利便性が高められる。
【００３９】
なお、本発明は上記実施形態の構成に限られることなく、少なくとも人体検知センサ１３が配設されている場所の使用状態をインターホンシステムによって確認できるように構成されていればよい。また、本発明は種々の変形が可能であり、例えば、人体検知センサ１３は、トイレ、浴室以外の場所に配設されていてもよい。また、人体検知センサ１３が配設されている場所の使用状態を表示する表示部としてＬＥＤが親機２又は子機３、４に設けられていてもよい。
【符号の説明】
【００４０】
１    インターホンシステム
２    親機（主通信機）
３、４    副親機（副通信機）
１３    人体検知センサ
１５    照明制御装置
１７    照明装置
２３    無線受信部（受信部）
２６    スピーカ装置（通知部）
２７    モニタ装置（表示部）
２９    制御部
【図２】
2011155376.tif 000003
【図３】
2011155376.tif 000004
【図４】
2011155376.tif 000005
【図１】
2011155376.tif 000006
【図５】
2011155376.tif 000007
【図６】
2011155376.tif 000008
【図７】
2011155376.tif 000009
【図８】
2011155376.tif 000010
【図９】
2011155376.tif 000011